(57)【特許請求の範囲】
【請求項１】
胴体部１と散水孔１１・１１’・１１”を有するヘッド部２とよりなり、亜硫酸カルシウムを充填したカートリッジ容器５を胴体部１内にカートリッジ容器５外周面と胴体部１内周面との間に充分な流量の原水が流れる空隙が存在するようにして配置し、カートリッジ容器５の入水口５ａから原水の一部をカートリッジ容器５内に導くと共に、残りの原水を前記空隙３０に導き、しかる後、カートリッジ容器５内部の通過水と空隙３０を通過した原水を混合して吐水させるシャワーヘッドであって、胴体部１下端に円環状の胴体底部１６を固定し、上端に孔１９・１９’、上端壁に開放スリット２０、中間外周に操作リング１７をそれぞれ有する開閉弁１２を胴体底部１６に回転自在に設け、胴体部１の下端近傍に筒状で、中央付近に設けた孔１０・１０’を有する固定部１ａを架設し、固定部１ａにカートリッジ容器５の入水口５ａを内嵌め固定し、固定部１ａ入水側に通水孔１４・１４’を有するゴムパッキン１３を装填したシャワーヘッド。
【発明の詳細な説明】
【０００１】
【発明の属する技術分野】
本発明は、浴室内で使用するシャワーヘッドに関するものである。
【０００２】
【従来の技術】
従来の浴室のシャワーヘッドは、水道水などの原水中の残留塩素を除去するのに、活性炭や亜硫酸カルシウムなどの還元作用を有する処理材を利用している。
【０００３】
【発明が解決しようとする課題】
しかし、従来の技術では、処理材層内に原水を全量通過させて残留塩素を除去することを前提としているため、処理材層による圧力損失のため充分なシャワー流量が得られなかったり、また、処理材層の目詰まりにより寿命を短くするという問題点があった。
【０００４】
【課題を解決するための手段】
そこで、本発明は、上記の事情に鑑み、処理材層による圧力損失がなく、充分なシャワー流量が得られ、処理材層の目詰まりもなく長期間使用できるようにすべく、胴体部１と散水孔１１・１１’・１１”を有するヘッド部２とよりなり、亜硫酸カルシウムを充填したカートリッジ容器５を胴体部１内にカートリッジ容器５外周面と胴体部１内周面との間に充分な流量の原水が流れる空隙が存在するようにして配置し、カートリッジ容器５の入水口５ａから原水の一部をカートリッジ容器５内に導くと共に、残りの原水を前記空隙３０に導き、しかる後、カートリッジ容器５内部の通過水と空隙３０を通過した原水を混合して吐水させるシャワーヘッドであって、胴体部１下端に円環状の胴体底部１６を固定し、上端に孔１９・１９’、上端壁に開放スリット２０、中間外周に操作リング１７をそれぞれ有する開閉弁１２を胴体底部１６に回転自在に設け、胴体部１の下端近傍に筒状で、中央付近に設けた孔１０・１０’を有する固定部１ａを架設し、固定部１ａにカートリッジ容器５の入水口５ａを内嵌め固定し、固定部１ａ入水側に通水孔１４・１４’を有するゴムパッキン１３を装填したとした。
【０００５】
【発明の実施の態様】
本発明を添付する図面に基づいて、以下詳細に説明する。
図１に、本発明のシャワーヘッドの基本となる実施例を示す。
胴体部１と、散水孔１１・１１’・１１”を有するヘッド部２と、底部２４とよりなる。胴体部１とヘッド部２はネジ３結合で、Ｏリング４を嵌めて水密構造とし、胴体部１の下端には底部２４を圧入する。ヘッド部２では散水板２５をビス２６により螺締する。
【０００６】
胴体部１の内部にはカートリッジ容器５を収容し、カートリッジ容器５の外周面と胴体部１の内周面の間は充分な流量の原水が流れるように空隙３０を設ける。
カートリッジ容器５には亜硫酸カルシウムを主剤とする処理材６を充填し、カートリッジ容器５の入水口５ａと出水口５ｂには処理材６を保持するための不織布フィルター７ａと不織布フィルター７ｂとをそれぞれ長音波溶着で固定する。
【０００７】
胴体部１の下端近傍に筒状の固定部１ａを架設し、この固定部１ａに前記カートリッジ容器５の入水口５ａを内嵌め固定し、カートリッジ容器５はヘッド部２を取り外して胴体部１から取り出したり装着したりする。なお、符号２１は取付金具、２２はシャワー用ホース、２３はＯリングである。
【０００７】
図１に示すように、シャワー用ホース２２から供給する原水の大部分は、カートリッジ固定部１ａの外周に設けたスリット８を通り、カートリッジ容器５の外周面と胴体部１の内周面の間の空隙３０に導く。一部の原水は固定部１ａの中央付近に設けた孔１０・１０’を通って入水口５ａからカートリッジ容器５内の処理材６に浸透する。浸透した水中には亜硫酸イオンが徐々に溶出し、その亜硫酸イオンは出水口５ｂから出て、カートリッジ容器５の外周面を流れた原水と混合する。
【０００８】
カートリッジ容器５内を通過した水は、亜硫酸イオンによる還元作用を有しており、カートリッジ容器５の外周面を大量に流れた原水中の残留塩素を無害な塩素イオンに変換してヘッド部２の散水孔１１・１１’・１１”から吐水させる。  したがって、本発明によれば、カートリッジ容器による圧力損失もほとんどなく、しかもカートリッジ容器通過水に含まれる亜硫酸イオンの還元作用を有効に利用することができる。
【０００９】
図２は、カートリッジ固定部１ａに開閉弁１２の機構を付設した実施例を示す。
図中、概略円盤状のゴムパッキン１３は固定部１ａの入水側に装填され、ゴムパッキン１３には固定部１ａの孔１０・１０’と連通する通水孔１４・１４’を設ける。
【００１０】
一方、開閉弁１２は胴体部１の下端部に設け、開閉弁１２外周面のＯリング１５と接する円環状の胴体底部１６により胴体部１内の中心軸回りに回転できるように保持する。なお、胴体底部１６は胴体部１に超音波溶着などで固定する。また開閉弁１２は胴体底部１６の下方に位置する操作リング１７と一体で中心軸回りに回転できるように外嵌めする。
【００１１】
開閉弁１２の軸心方向に通路１８を形成し、またゴムパッキン１３と対向する摺動面に開閉弁１２の軸回りの回転操作により通水孔１４・１４’と連通する孔１９・１９’を設けるとともに、通路１８の出水側には原水を常時通水させる開放スリット２０を設ける。
したがって、シャワー用ホース２２から供給した原水は通路１８から開放スリット２０を経て絶えずカートリッジ容器５の外周面と胴体部１の内周面の空隙３０に流れるとともに、操作リング１７を回転させ、開閉弁１２の孔１９・１９’とゴムパッキン１３の通水孔１４・１４’を連通させた場合（図３の状態）に原水の一部がカートリッジ容器５内に流れる。
【００１２】
このように、開閉弁１２でカートリッジ容器５内に流れる原水の通水を入断することにより、残留塩素除去作用の有無を確認することができる。すなわち、浴室内の清掃時など消毒のために残留塩素が含まれていた方がよい場合には操作リング１７を回して図４の状態（原水のカートリッジ容器５内への流入の遮断）にし、使い分けることによってカートリッジ容器５の寿命を延ばすことにもなり経済的である。
【００１３】
本発明に用いる亜硫酸カルシウムを主剤とする処理材６は水の浸透性がある程度必要であるため粉末状よりは顆粒状が望ましい。例えば水に難溶性かつ親水性のバインダーを用いて１０メッシュ〜１００メッシュ程度に亜硫酸カルシウム粉末を造粒したものが適しているが、本発明の実施は何もこれに限定されるものではない。
【００１４】
【発明の効果】
本発明は、上述のように、胴体部１と散水孔１１・１１’・１１”を有するヘッド部２とよりなり、亜硫酸カルシウムを充填したカートリッジ容器５を胴体部１内にカートリッジ容器５外周面と胴体部１内周面との間に充分な流量の原水が流れる空隙が存在するようにして配置し、カートリッジ容器５の入水口５ａから原水の一部をカートリッジ容器５内に導くと共に、残りの原水を前記空隙３０に導き、しかる後、カートリッジ容器５内部の通過水と空隙３０を通過した原水を混合して吐水させるシャワーヘッドであって、胴体部１下端に円環状の胴体底部１６を固定し、上端に孔１９・１９’、上端壁に開放スリット２０、中間外周に操作リング１７をそれぞれ有する開閉弁１２を胴体底部１６に回転自在に設け、胴体部１の下端近傍に筒状で、中央付近に設けた孔１０・１０’を有する固定部１ａを架設し、固定部１ａにカートリッジ容器５の入水口５ａを内嵌め固定し、固定部１ａ入水側に通水孔１４・１４’を有するゴムパッキン１３を装填したシャワーヘッドとしたので、処理材層による圧力損失がなく、充分なシャワー流量が得られ、処理材層の目詰まりもなく長期間使用できる。
【００１５】
【図面の簡単な説明】
【図１】  本発明のシャワーヘッドの一実施例を説明する縦断面図である。
【図２】  本発明の残留塩素除去作用を制御する開閉弁機構を説明する縦断面図である。
【図３】  開閉弁の作動により原水がカートリッジ容器内に流入する状態を示す底面図である。
【図４】  開閉弁の作動により原水が空隙にのみ流入する状態を示す底面図である。
【符号の説明】
１…胴体部
１１・１１’・１１”…散水孔
２…ヘッド部
５…カートリッジ容器
３０…空隙
５ａ…入水口
１２…開閉弁
１９・１９’…孔
２０…スリット
１７…操作リング
１６…胴体底部
１０・１０’…孔
１ａ…固定部
１４・１４’…通水孔
【図１】
0003686791.tif 000002
【図２】
0003686791.tif 000003
【図３】
0003686791.tif 000004
【図４】
0003686791.tif 000005